(57)【要約】【課題】  車椅子を使用している身体障害者と健常者の両方が楽に使用できる画像形成装置を提供する。【解決手段】  画像形成装置本体３上部の読み取り装置５及びその手前側の操作部８が一体に水平移動できるようにする。画像形成装置本体３に、読取装置５を画像形成装置本体３の手前側へ移動させる動作に連動して作動可能なモータ１４と、連結手段を介してモータ１４で駆動する一対の転倒防止部材１５を設ける。身体障害者１が画像形成装置本体３上から手動でまたは図示せぬスイッチ操作とモータ駆動等により、読取装置５及び操作部８を画像形成装置本体３の手前側に引き出すと、これに連動してモータ１４が作動し、転倒防止部材１５を画像形成装置本体３の手前側へ突出させ、重心位置が移動してバランスが崩れた画像形成装置本体３の手前側への転倒を防止する。【選択図】        図３
2005094082.tif 000002
【特許請求の範囲】
【請求項１】
装置本体手前側から突出するように移動させる動作と、前記装置本体側へ収納するように移動させる動作とを可能に読み取り装置を備え、前記装置本体に、該読み取り装置を該装置本体の手前側へ突出移動させた状態での転倒防止手段を設けてなることを特徴とする画像形成装置。
【請求項２】
請求項１の画像形成装置において、前記転倒防止手段が、前記装置本体の下部から該装置本体の手前側へ移動可能な転倒防止部材を含むことを特徴とする画像形成装置。
【請求項３】
請求項２の画像形成装置において、前記読み取り装置と前記転倒防止手段の間に連結手段を配し、前記読取装置の前記装置本体手前側への突出移動に連動させて前記転倒防止部材を前記装置本体手前側へ突出移動可能としてなることを特徴とする画像形成装置。
【請求項４】
請求項２の画像形成装置において、前記読み取り装置と前記転倒防止手段の間に連結手段を配し、前記読取装置の前記装置本体手前側への突出移動と前記装置本体側へ収納移動に連動させて前記転倒防止部材を前記装置本体手前側へ出没移動可能としてなることを特徴とする画像形成装置。
【請求項５】
請求項３または４の画像形成装置において、前記連結手段を前記装置本体の側面に配したことを特徴とする画像形成装置。
【請求項６】
請求項５の画像形成装置において、前記連結手段が、前記読取装置の前記装置本体手前側への突出移動に連動して作動可能なモータと、該モータにより前記転倒防止部材を前記装置本体の手前側へ移動駆動するリンク手段を有することを特徴とする画像形成装置。
【請求項７】
請求項６の画像形成装置において、前記リンク手段が、前記モータにより回転駆動するピニオンであり、前記転倒防止部材に、該ピニオンと噛合するラックを備えることを特徴とする画像形成装置。
【請求項８】
請求項３または４の画像形成装置において、前記連結手段を、前記装置本体と前記読取装置の側面を連結して配したことを特徴とする画像形成装置。
【請求項９】
請求項８の画像形成装置において、前記連結手段が、一端側を前記読取装置の側面に、他端側を前記転倒防止部材に取り付けたリンク部材を含み、前記読取装置の移動時に前記リンク部材が連動して前記転倒防止部材を移動駆動することを特徴とする画像形成装置。
【請求項１０】
請求項９の画像形成装置において、前記リンク部材の一端に前記読取装置の側面に設けたピンを挿通させる長孔を備え、前記リンク部材の他端にピニオンを備え、前記転倒防止部材に前記ピニオンと噛合するラックを備えることを特徴とする画像形成装置。
【発明の詳細な説明】
【技術分野】
【０００１】
本発明は、デジタル複写機、ファクシミリ、スキャナー、複写機、ＭＦＰ機（複写、ファックス、プリンタ機能を有する複合機を言う）等の画像形成装置に関し、詳細には身体障害者が車椅子等に腰掛けた状態で楽に操作部を操作できるようにした装置に関する。
【背景技術】
【０００２】
図１は、デジタル複写機等の画像形成装置を身体障害者が操作しようとしている状態の一例を示す斜視図である。身体障害者１で、特に足が不自由で車椅子２を使っている人がデジタル複写機等の画像形成装置を使用しようとすると、図１に示すように画像形成装置本体３に向かって車椅子２ごと横向きになり操作することになる。なぜなら、図２に示すように、車椅子２を画像形成装置本体３に向けて正面で操作しようとすると、手４が読み取り装置５、具体的には画像形成装置本体３上部のコンタクトガラス６のカバー７や、その手前側の操作部８にすら届かないことが多いからである。
【０００３】
車椅子２に乗った身体障害者１が画像形成装置本体３を使用するときに装置正面に向かって操作できるようにするには、読取装置５や操作部８を画像形成装置本体３の手前側に、しかもできるだけ低い位置に配置することが必要になる。そのような配置にすれば、車椅子２を使用している身体障害者１でも体をねじること無く操作でき、操作性が向上するためである。
【発明の開示】
【発明が解決しようとする課題】
【０００４】
しかしながら、上述のように身体障害者１にとって使いやすい構成にすると、一般の健常者が使用する際に読取装置５や操作部８の位置が低すぎて前かがみになって操作を行うことになる。すなわち一般の健常者にとっては著しく操作性が悪くなる。
【０００５】
そこで本発明は、車椅子を使用している身体障害者と健常者の両方が楽に使用できる画像形成装置を提供することを目的とする。
【課題を解決するための手段】
【０００６】
本発明の請求項１に係る画像形成装置は、装置本体手前側から突出するように移動させる動作と、前記装置本体側へ収納するように移動させる動作とを可能に読み取り装置を備え、前記装置本体に、該読み取り装置を該装置本体の手前側へ突出移動させた状態での転倒防止手段を設けてなることを特徴とする。
【０００７】
同請求項２に係るものは、請求項１の画像形成装置において、前記転倒防止手段が、前記装置本体の下部から該装置本体の手前側へ移動可能な転倒防止部材を含むことを特徴とする。
【０００８】
同請求項３に係るものは、請求項２の画像形成装置において、前記読み取り装置と前記転倒防止手段の間に連結手段を配し、前記読取装置の前記装置本体手前側への突出移動に連動させて前記転倒防止部材を前記装置本体手前側へ突出移動可能としてなることを特徴とする。
【０００９】
同請求項４に係るものは、請求項２の画像形成装置において、前記読み取り装置と前記転倒防止手段の間に連結手段を配し、前記読取装置の前記装置本体手前側への突出移動と前記装置本体側へ収納移動に連動させて前記転倒防止部材を前記装置本体手前側へ出没移動可能としてなることを特徴とする。
【００１０】
同請求項５に係るものは、請求項３または４の画像形成装置において、前記連結手段を前記装置本体の側面に配したことを特徴とする。
【００１１】
同請求項６に係るものは、請求項５の画像形成装置において、前記連結手段が、前記読取装置の前記装置本体手前側への突出移動に連動して作動可能なモータと、該モータにより前記転倒防止部材を前記装置本体の手前側へ移動駆動するリンク手段を有することを特徴とする。
【００１２】
同請求項７に係るものは、請求項６の画像形成装置において、前記リンク手段が、前記モータにより回転駆動するピニオンであり、前記転倒防止部材に、該ピニオンと噛合するラックを備えることを特徴とする。
【００１３】
同請求項８に係るものは、請求項３または４の画像形成装置において、前記連結手段を、前記装置本体と前記読取装置の側面を連結して配したことを特徴とする。
【００１４】
同請求項９に係るものは、請求項８の画像形成装置において、前記連結手段が、一端側を前記読取装置の側面に、他端側を前記転倒防止部材に取り付けたリンク部材を含み、前記読取装置の移動時に前記リンク部材が連動して前記転倒防止部材を移動駆動することを特徴とする。
【００１５】
同請求項１０に係るものは、請求項９の画像形成装置において、前記リンク部材の一端に前記読取装置の側面に設けたピンを挿通させる長孔を備え、前記リンク部材の他端にピニオンを備え、前記転倒防止部材に前記ピニオンと噛合するラックを備えることを特徴とする。
【発明の効果】
【００１６】
本発明に係る画像形成装置は、車椅子を使用している身体障害者と健常者の両方が楽に使用でき、読取装置を手前に移動させて使用しても転倒することなく安心して使用できるという効果がある。
【発明を実施するための最良の形態】
【００１７】
以下本発明を実施するための最良の形態を、図に示す実施例を参照して説明する。なお以下の説明では、従来の例と共通する部分には共通する符号を付して説明する。
【実施例１】
【００１８】
図３は本発明に係る画像形成装置の第１実施例を示す斜視図（Ａ）と側面図（Ｂ）である。本実施例は、画像形成装置本体３上部の読み取り装置５及びその手前側の操作部８が一体に水平移動できるようにしてある。すなわち画像形成装置本体３上部に読み取り装置５を収納する凹部１１を設け、その内側面にガイドレール１２を設け、読み取り装置５の外側面に被ガイド部材１３を取り付け、一体にした読み取り装置５と操作部８を画像形成装置本体３の手前側へ突出するように移動させることができる構造としてある。なお図３（Ａ）ではカバー７の図示を省略してある。
【００１９】
また画像形成装置本体３には、読取装置５を画像形成装置本体３の手前側へ移動させる動作に連動して作動可能なモータ１４と、モータ１４によって駆動する一対の転倒防止部材１５が設けてある。モータ１４と転倒防止部材１５の間には、モータ１４の回転を伝えるための連結手段として、ベルト１６及びピニオン１７が設けてある。ベルト１６はモータ１４の出力軸に取り付けたプーリ１８とピニオン１７と同軸のプーリ１９との間に掛け回してあり、転倒防止部材１５にはピニオン１７と噛合するラック２０が設けてある。
【００２０】
本実施例では、身体障害者１が画像形成装置本体３上から手動でまたは図示せぬスイッチ操作とモータ駆動等により、読取装置５及び操作部８を画像形成装置本体３の手前側に引き出すと、この移動に連動してモータ１４が作動し、その回転がモータ出力軸に取り付けたプーリ１８、ベルト１６、プーリ１９、ピニオン１７、ラック２０と伝わり、一対の転倒防止部材１５を画像形成装置本体３の手前側へ突出させる。
【００２１】
図３（Ｂ）はこの状態を示す。車椅子２に乗った身体障害者１は、画像形成装置本体３の正面手前側から楽にカバー７や操作部８を操作できる。このとき、読取装置５及び操作部８が画像形成装置本体３の手前側へ突出することによって装置としての重心位置も画像形成装置本体３の手前側へ移動してバランスが崩れ、車椅子２に乗った身体障害者１側へと転倒しやすくなるが、これは、読取装置５及び操作部８とともに転倒防止部材１５も画像形成装置本体３の手前側へ突出することで防止される。
【００２２】
なお、例えば健常者が使用するために、画像形成装置本体３の正面手前側から突出した読取装置５及び操作部８を画像形成装置本体３上へ、そして転倒防止部材１５を画像形成装置本体３内へ戻すには、もちろん手動操作や図示せぬスイッチ操作とモータ駆動等によれば良い。身体障害者１が使用しない時は、読取装置５及び操作部８が画像形成装置本体３上に位置するようにしておけば、健常者が操作する際に低すぎるなどの問題は生じない。また、読取装置５及び操作部８が画像形成装置本体３から突出した状態にあっても、これを健常者が非突出状態へ戻すことは容易であるのでこれも問題にならない。
【００２３】
図４は本発明に係る画像形成装置の第２実施例を示す斜視図（Ａ）と側面図（Ｂ）である。本実施例は、基本的な構造は第１実施例と同様であるが、読取装置５及び操作部８の支持及び移動構造が異なっている。すなわち、読取装置５の両側面を垂直方向で回動可能な４本のアーム２１・・・によって支持して平行クランク機構を構成し、身体障害者１が使用するときはアーム２１を画像形成装置本体３の手前側へ倒すように回動させ、通常時（図４Ｂに破線で示す状態）よりも低い位置に読取装置５及び操作部８を配置できるようにしてある。読取装置５及び操作部８は、４本のアーム２１からなる平行クランク機構により、水平を保ったまま移動する。
【００２４】
また健常者が使用するときは、アーム２１を画像形成装置本体３の背面側へ回動させ、読取装置５後端を段部２２上に載置する配置とし、健常者が使用するのに適する高さを確保する。なお本実施例においても、読取装置５及び操作部８の操作については、手動操作や図示せぬスイッチ操作とモータ駆動等によれば良く、また転倒防止部材１５の動作、作用についても第１実施例と同様である。
【００２５】
図５は本発明に係る画像形成装置の第３実施例を示す斜視図である。本実施例も基本的な構造は第１、第２実施例と同様であるが、読取装置５及び操作部８の支持及び移動構造が異なっている。すなわち、読取装置５の両側面に取り付けるリンク部材２３が、その一端に読取装置５の側面に設けたピン２４を挿通させる長孔２５を備え、他端に一対のピニオン２６、２７を備え、下側のピニオン２７が転倒防止部材１５のラック２０に噛合している。
【００２６】
そして、身体障害者１が使用するときはリンク部材２３を画像形成装置本体３の手前側へ倒すように回動させ、ピン２４を長孔２５内で下方へ向かってスライドさせながら通常時よりも低い位置に読取装置５及び操作部８を配置し、健常者が使用するときは、リンク部材２３を画像形成装置本体３の背面側へ回動させ、ピン２４を長孔２５内で上方へ向かってスライドさせながら読取装置５後端を画像形成装置本体３の後壁部２８上に載置する配置とし、健常者が使用するのに適する高さを確保する。換言すれば、図５（Ａ）に示す状態が健常者の使用を前提とした高さ位置とすれば、図５（Ｂ）に示すように、身体障害者１が使用するときはかなり低い位置に読取装置５及び操作部８を配置できる。
【００２７】
なおリンク部材２３の回動方向と転倒防止部材１５の画像形成装置本体３に対する出没動作方向は、リンク部材２３の下端に一対のピニオン２６、２７を設けることで同一となっている。
【００２８】
また本実施例においても、読取装置５及び操作部８の操作については、手動操作や図示せぬスイッチ操作とモータ駆動等によれば良く、また転倒防止部材１５の動作、作用についても第１実施例と同様である。さらに、本実施例においてはリンク部材２３が平行運動機構を構成していないが、読取装置５及び操作部８の移動時に手で支えたり、ピン２４と長孔２５の嵌合構造によって読取装置５がピン２４を軸として上下方向に回動しない構造としたりすればよい。もちろんその他の支持方法、構造であっても良い。また読取装置５が回動してもそれを許容できるのであれば特に問題はない。
【図面の簡単な説明】
【００２９】
【図１】画像形成装置を身体障害者が操作しようとしている状態の一例を示す斜視図
【図２】画像形成装置を身体障害者が横向きで操作しようとしている状態の一例を示す斜視図
【図３】本発明に係る画像形成装置の第１実施例を示す斜視図（Ａ）と側面図（Ｂ）
【図４】本発明に係る画像形成装置の第２実施例を示す斜視図（Ａ）と側面図（Ｂ）
【図５】本発明に係る画像形成装置の第３実施例を示す斜視図
【符号の説明】
【００３０】
１：身体障害者
２：車椅子
３：画像形成装置本体
４：身体障害者の手
５：読み取り装置
６：コンタクトガラス
７：カバー
８：操作部
１１：凹部
１２：ガイドレール
１３：被ガイド部材
１４：モータ
１５：転倒防止部材
１６：ベルト
１７：ピニオン
１８、１９：プーリ
２０：ラック
２１：アーム
２２：段部
２３：リンク部材
２４：ピン
２５：長孔
２６、２７：ピニオン
２８：画像形成装置本体の後壁部
【図１】
2005094082.tif 000003
【図２】
2005094082.tif 000004
【図３】
2005094082.tif 000005
【図４】
2005094082.tif 000006
【図５】
2005094082.tif 000007